(57)【要約】【課題】  髪を短時間で染色できる毛染め器具を提供する。【解決手段】  器具本体にくし歯を設け、器具本体及びくし歯の内部に設けた空洞に、浸透性を有する素材で成型し速乾性の染色剤を含浸させた染色剤含浸部材を埋め込み、くし歯の側面に対向的に設けた割れ目から、その先端がくし歯の先端から僅かに離れた位置にくるように染色剤含浸部材の一部分を露出させ、露出した対向する染色剤含浸部材の間に、接触しない程度の隙間を設けた構造からなる毛染め器具。【選択図】図１
2012000412.tif 000002
【特許請求の範囲】
【請求項１】
器具本体にくし歯を設け、器具本体及びくし歯の内部に設けた空洞に、浸透性を有する素材で成型し速乾性の染色剤を含浸させた染色剤含浸部材を埋め込み、くし歯の側面に対向的に設けた割れ目から、その先端がくし歯の先端から僅かに離れた位置にくるように染色剤含浸部材の一部分を露出させ、露出した対向する染色剤含浸部材の間に、接触しない程度の隙間を設けた構造からなる毛染め器具。
【請求項２】
鏡を組み合わせた構造からなる請求項１における毛染め器具。
【請求項３】
くしを組み合わせた構造からなる請求項１における毛染め器具。
【請求項４】
連結した構造からなる請求項１における毛染め器具。
【請求項５】
器具本体の一部分に染色剤注入口を設けた構造からなる請求項１における毛染め器具。
【発明の詳細な説明】
【技術分野】
【０００１】  本発明は、くし型の成型物の、くし歯の部分に、浸透性を有する素材で成型し速乾性の染色剤を含浸させた染色剤含浸部材を設けた構造からなる毛染め器具に関するものである。
【背景技術】
【０００２】  従来、毛染めを行う場合は毛染め剤により髪全体やその一部分に毛染め剤を塗布し、その後、一定時間経過後、洗髪、乾燥して完了するのが一般的である。
【発明の概要】
【発明が解決しようとする課題】
【０００３】  従来の毛染め方法は良好に毛染めを行うことができるが、多くの時間と手間を要する。従来の毛染め方法の場合、例えば外出前に、一部分の白髪を短時間で染色し隠すことは難しい。本発明は以上の問題点を解決しようとするものである。
【課題を解決するための手段】
【０００４】  器具本体にくし歯を設け、器具本体及びくし歯の内部に設けた空洞に、浸透性を有する素材で成型し速乾性の染色剤を含浸させた染色剤含浸部材を埋め込み、くし歯の側面に対向的に設けた割れ目から、その先端がくし歯の先端から僅かに離れた位置にくるように染色剤含浸部材の一部分を露出させ、露出した対向する染色剤含浸部材の間に、接触しない程度の隙間を設ける。以上を特徴とする毛染め器具である。
【発明の効果】
【０００５】  本発明により、いつでも容易に髪を短時間で染色することが可能となる。
【図面の簡単な説明】
【０００６】
【図１】  本発明の外観斜視図
【図２】  本発明の部分拡大斜視図
【図３】  本発明の部分拡大斜視図
【図４】  本発明の部分拡大斜視図
【図５】  本発明の平面外観図
【図６】  本発明の図５におけるＡ−Ａ線断面図
【図７】  図６において染色剤含浸部材（２）を取り除いた図
【図８】  本発明の図５におけるＢ−Ｂ線断面図
【図９】  本発明の図５におけるＣ−Ｃ線断面図
【図１０】  本発明の図５におけるＤ−Ｄ線断面図
【図１１】  本発明の実施例を示す外観斜視図
【図１２】  本発明の他の実施例を示す外観斜視図
【図１３】  本発明の他の実施例を示す外観斜視図
【図１４】  本発明の他の実施例を示す外観斜視図
【図１５】  本発明の他の実施例を示す外観斜視図
【図１６】  本発明の他の実施例を示す外観斜視図
【図１７】  本発明の他の実施例を示す外観斜視図
【図１８】  本発明の他の実施例を示す部分拡大斜視図
【発明を実施する為の形態】
【０００７】  本発明の毛染め器具は、器具本体（１）と、染色剤含浸部材（２）と器具本体カバー（３）とからなっている。器具本体（１）には、くし歯（４）が設けられ、このくし歯（４）には、対向的に割れ目（５）が設けられて、この割れ目（５）から染色剤含浸部材（２）の一部分が露出する。染色剤含浸部材（２）は、浸透性を有する素材で成型してつくり、くし歯（４）を含む器具本体（１）の内部に設けた空洞（６）に埋め込み、くし歯（４）に対向的に設けた割れ目（５）からその一部分を露出させ、露出した対向する染色剤含浸部材（２）の間には、接触しない程度の隙間を設ける。浸透性を有する素材としては、繊維を加工したものや、各種プラスチックを加工したもの等がある。染色剤含浸部材（２）には、速乾性の染色剤が含浸され、これが髪の毛（９）と接触する時に染色剤が髪の毛（９）に移行して染色される。割れ目（５）から露出した染色剤含浸部材（２）は、その先端がくし歯（４）の先端から僅かに離れた位置にくるように設けられ、染色剤含浸部材（２）の先端が頭皮に直接触れて頭皮を汚染しない様に工夫してある。くし歯（４）に設けられた割れ目（５）から露出している染色剤含浸部材（２）に含まれる染色剤が消耗されると、毛細管現象によりくし歯（４）を含む器具本体（１）の内部に埋め込まれた染色剤含浸部材（２）の染色剤の濃度の濃い部分から染色剤が自然に供給される。染色剤は、各種インクや染料等、洗髪する必要が無く、即時に乾燥する速乾性のものを用いる。器具本体カバー（３）は、器具本体（１）に挿着し、染色剤含浸部材（２）に含まれる染色剤が揮発し、乾燥するのを防ぐ為に用いる。器具本体（１）には、成型等により突起（７）を設け、器具本体カバー（３）を挿着した時、突起（７）が器具本体カバー（３）の内側に設けられた窪み（８）と嵌合することにより、密着性を保持する。本発明の毛染め器具を使用する場合は、器具本体（１）で髪をとかす要領で使用する。髪をとかす動作により、髪の毛（９）が染色剤含浸部材（２）に接触し、この時に染色剤含浸部材（２）に含まれる染色剤が髪の毛（９）に移行し染色される。この動作を繰り返すことにより、目的の箇所を容易に染色できる。染色剤含浸部材（２）に当初保持された染色剤が消耗された後、繰り返し継続的に使用する場合は、器具本体（１）の一部分にメスネジを切った染色剤注入口（１１）を設け、染色剤を注入した後、オスネジを切った蓋（１２）を螺着させ、密閉して使用するようにすることもできる。本発明の毛染め器具は、小型化が可能で常時携帯して必要な時に使用することも可能である。洗髪が必要で手間がかかる毛染めに抵抗がある人でも気軽に使用できる可能性もある。白髪染めの他、ファッション的な目的での毛染めにも利用できる。
【実施例１】
【０００８】  図１は、本発明の外観斜視図である。器具本体（１）は、くしの形をしており、くし歯（４）を有している。くし歯（４）の部分では、染色剤含浸部材（２）の一部分が、対向的に設けられた割れ目（５）より露出しており、器具本体（１）には、着脱可能な器具本体カバー（３）を挿着して取り付ける。器具本体（１）には、成型等により突起（７）を設け、器具本体カバー（３）を挿着した時、突起（７）が器具本体カバー（３）の内側に設けられた窪み（８）と嵌合することにより、密着性を保持する。なお、この機能は、器具本体（１）及び器具本体カバー（３）をそれぞれテーパー構造とすることによっても実現可能である。染色剤含浸部材（２）は器具本体（１）及びくし歯（４）の内部に設けられた空洞（６）に埋め込んで取り付けられ、その一部分がくし歯（４）に対向的に設けられた割れ目（５）から露出している。露出した対向する染色剤含浸部材（２）の間には、接触しない程度の隙間を設ける。染色剤含浸部材（２）は、浸透性を有する素材で成型してつくられ、この部分に揮発性の染色剤が含浸され、保持される。浸透性を有する素材としては、繊維を加工したものや、各種プラスチックを加工したもの等がある。髪をとかす動作により、髪の毛（９）が染色剤含浸部材（２）に接触し、これにより染色剤含浸部材（２）に含まれる染色剤が髪の毛（９）に移行し染色される。割れ目（５）から露出した染色剤含浸部材（２）は、その先端がくし歯（４）の先端から僅かに離れた位置にくるように設けられ、染色剤含浸部材（２）の先端が頭皮に直接触れて頭皮を汚染しない様に工夫してある。くし歯（４）に対向的に設けられた割れ目（５）から露出している染色剤含浸部材（２）で染色剤が消耗されると、毛細管現象により、器具本体（１）及びくし歯（４）の内部に埋め込まれている染色剤含浸部材（２）の染色剤濃度の濃い部分から染色剤が自然に供給される。本発明の毛染め器具を使用することにより、髪をとかす要領で簡単に髪の毛（９）を染色することができる。染色剤は、各種インクや染料等、洗髪する必要が無く、即時に乾燥する速乾性のものを用いる。このため染色してすぐに外出することができ、また、外出先で使用することも可能である。
図２は、くし歯（４）に設けられた染色剤含浸部材（２）を幾つか取り除いた図で、割れ目（５）が示されている。この部分から染色剤含浸部材（２）の一部分が露出する。
図３は、同じく、くし歯（４）の部分の拡大図を示している。
図４は、髪の毛（９）が染色剤含浸部材（２）に接触して染色される状態を示している。本発明の毛染め器具を、髪をとかす要領で使用することにより、染色剤含浸部材（２）が髪の毛（９）に接触し、染色剤含浸部材（２）に含まれる染色剤が髪の毛（９）に移行して、染色を可能とする。
図５は、本発明の平面外観図を示している。
図６は、図５におけるＡ−Ａ線断面図を示している。器具本体（１）及びくし歯（４）の内部には、染色剤含浸部材（２）が埋め込まれている。
図７は、図６において、染色剤含浸部材（２）を取り除いた場合の図を示している。器具本体（１）及びくし歯（４）の内部には、空洞（６）が設けられている。
図８は、図５におけるＢ−Ｂ線断面図を示している。くし歯（４）の内部には、染色剤含浸部材（２）が埋め込まれている。
図９は、図５におけるＣ−Ｃ線断面図を示している。器具本体（１）の内部には、染色剤含浸部材（２）が埋め込まれている。
図１０は、図５におけるＤ−Ｄ線断面図を示している。器具本体カバー（３）の内側には、窪み（８）が設けられており、この部分が器具本体（１）に設けられた突起（７）と嵌合することにより、密着性が保持され染色剤が揮発するのを防ぐ。
【実施例２】
【０００９】  図１１は、本発明の器具本体カバー（３）の表面に、鏡（１０）を取り付けた場合を示している。本発明は、器具本体カバー（３）を器具本体（１）から外して使用するが、この時に、器具本体カバー（３）の表面に取り付けられた鏡（１０）を利用することで染色状態を自分で確認することができる。
【実施例３】
【００１０】  図１２は、図１で示される器具本体（１）の柄の部分に、一般的な、くしを取り付けた場合を示している。本発明の毛染め器具を使用する場合、前もって一般的な、くしで髪をとかし、くし通りを良くしてから使用することが望ましい。図１２で示される毛染め器具を使用する場合には、最初にこの、くしの部分で、髪のくし通りを良くすることができる為に便利である。
【実施例４】
【００１１】  図１３は、図１で示される構造物を連結した構造を示している。この場合、左右で異なる色の染色剤を使用すれば、２色の染色を行うことが可能となる。ファッション的に２色の染色を行いたい場合に便利となる。
【実施例５】
【００１２】  図１４は、本発明を図１で示される形状とは異なる形状にしたものである。基本的な構造と機能は図１で示される本発明と同じである。本形状のものは、生え際の白髪を染色する場合に便利である。
【実施例６】
【００１３】  図１５は、本発明をペン型の形状にしたものである。基本的な構造と機能は図１で示される本発明と同じである。本形状のものは、小型で携帯に便利である。【００１４】  図１６は、図１５と同じく、本発明をペン型の形状にしたものであるが、くし歯（４）の形状が図１で示される円筒型のものとは異なっている。基本的な構造と機能は図１で示される本発明と同じである。本形状のものは、小型で携帯に便利である他、細かい部分の染色を行うのに便利である。くし歯（４）の形状は図１で示される円筒型の他、種々の形状でも可能である。
【実施例７】
【００１５】  図１７及び図１８は、図１で示される本発明に、染色剤注入口（１１）、及び蓋（１２）を設け、染色剤含浸部材（２）に当初保持されていた染色剤が消耗された後も本発明を繰り返し継続的に使用できるようにした場合の図を示している。染色剤注入口（１１）の内壁にはメスネジを切り、蓋（１２）には、オスネジを切って、染色剤注入後は、蓋（１２）を染色剤注入口（１１）に螺着させ密閉する。当初保持されていた染色剤が消耗された後も、染色剤を染色剤注入口（１１）から補充することで繰り返し継続的に毛染め器具を使用することができる。
【符号の説明】
【００１６】  １    器具本体
２    染色剤含浸部材
３    器具本体カバー
４    くし歯
５    割れ目
６    空洞
７    突起
８    窪み
９    髪の毛
１０  鏡
１１  染色剤注入口
１２  蓋
【図１】
2012000412.tif 000003
【図２】
2012000412.tif 000004
【図３】
2012000412.tif 000005
【図４】
2012000412.tif 000006
【図５】
2012000412.tif 000007
【図６】
2012000412.tif 000008
【図７】
2012000412.tif 000009
【図８】
2012000412.tif 000010
【図９】
2012000412.tif 000011
【図１０】
2012000412.tif 000012
【図１１】
2012000412.tif 000013
【図１２】
2012000412.tif 000014
【図１３】
2012000412.tif 000015
【図１４】
2012000412.tif 000016
【図１５】
2012000412.tif 000017
【図１６】
2012000412.tif 000018
【図１７】
2012000412.tif 000019
【図１８】
2012000412.tif 000020